(57)【特許請求の範囲】
【請求項１】
電気需給契約対象となる物件を特定する物件特定情報と、前記物件における過去の電力使用実績を示す過去の電力使用量とを紐づけて記憶する記憶部と、
物件特定情報と使用電力量とを含む検索要求を取得する検索要求取得部と、
前記検索要求に含まれる前記物件特定情報に一致する物件特定情報であって、前記過去の電力使用量が前記検索要求に含まれる前記使用電力量の範囲となる物件特定情報を前記記憶部の記憶する物件特定情報の中から特定し、少なくとも当該特定した物件特定情報を含む候補物件の情報を、前記検索要求を送信した端末を管理する電気事業者が電力供給する前記物件の所有者や管理者との間で結ぶ電気需給契約の候補物件の情報として出力する物件候補出力部と、
を備える電気需給契約の入札管理装置。
【請求項２】
電気需給契約対象となる物件を特定する物件特定情報と、前記物件における過去の電力使用実績を示す過去の単位期間ごとの電力使用量とを紐づけて記憶する記憶部と、
物件特定情報と使用電力量とを含む検索要求を取得する検索要求取得部と、
前記検索要求に含まれる前記物件特定情報に一致する物件特定情報を前記記憶部の記憶する物件特定情報の中から特定し、当該特定した物件特定情報を含む候補物件の情報を、前記検索要求に含まれる前記使用電力量と前記記憶部が記憶する前記過去の単位期間ごとの電力使用量との差の平均が少ない順に、前記検索要求を送信した端末を管理する電気事業者が電力供給する前記物件の所有者や管理者との間で結ぶ電気需給契約の候補物件の情報として出力する物件候補出力部と、
を備える電気需給契約の入札管理装置。
【請求項３】
前記候補物件との間で結ぶ電気需給契約の入札書情報の登録を受け付ける入札受付部と、
前記記憶部のデータテーブルにおいて関連付けて記録される情報に基づいて前記電気事業者との電気需給契約の契約が未処理を示す物件特定情報を特定し、その物件特定情報を含む前記入札書情報を前記入札受付部が登録を受け付け前記記憶部に記憶する入札書情報の中から特定し、その特定した入札書情報と前記未処理を示す物件特定情報とを前記記憶部へ出力する業者候補出力部と、
を備える請求項１または請求項２に記載の入札管理装置。
【請求項４】
前記入札書情報の登録に用いられる前記入札書情報のひな形を前記端末へ出力するひな形出力部と、
を備える請求項３に記載の入札管理装置。
【請求項５】
前記物件における過去の電力使用実績に関するデータを取得して、前記物件に紐づけて前記記憶部に自動登録する登録部と、
を備える請求項１から請求項４の何れか一項に記載の入札管理装置。
【請求項６】
前記物件特定情報に基づいて複数の前記物件をまとめたポートフォリオを生成するポートフォリオ生成部と、
を備え、
前記物件候補出力部は、前記検索要求に含まれる前記物件特定情報に一致する物件特定情報を前記記憶部の記憶する物件特定情報の中から特定し、少なくとも当該特定した物件特定情報を含む候補物件の情報に対応する前記ポートフォリオの識別情報を、前記検索要求を送信した端末を管理する電気事業者が電力供給する前記物件の所有者や管理者との間で結ぶ電気需給契約の候補物件の情報として出力する
請求項１から請求項５の何れか一項に記載の入札管理装置。
【請求項７】
入札管理装置の記憶部が、電気需給契約対象となる物件を特定する物件特定情報と、前記物件における過去の電力使用実績を示す過去の電力使用量とを紐づけて記憶し、
前記入札管理装置の検索要求取得部が、物件特定情報と使用電力量とを含む検索要求を取得し、
前記入札管理装置の物件候補出力部が、前記検索要求に含まれる前記物件特定情報に一致する物件特定情報であって、前記過去の電力使用量が前記検索要求に含まれる前記使用電力量の範囲となる物件特定情報を前記記憶部の記憶する物件特定情報の中から特定し、少なくとも当該特定した物件特定情報を含む候補物件の情報を、前記検索要求を送信した端末を管理する電気事業者が電力供給する前記物件の所有者や管理者との間で結ぶ電気需給契約の候補物件の情報として出力する
電気需給契約の入札管理方法。
【請求項８】
入札管理装置の記憶部が、電気需給契約対象となる物件を特定する物件特定情報と、前記物件における過去の電力使用実績を示す過去の電力使用量とを紐づけて記憶し、
前記入札管理装置の検索要求取得部が、物件特定情報と使用電力量とを含む検索要求を取得し、
前記入札管理装置の物件候補出力部が、前記検索要求に含まれる前記物件特定情報に一致する物件特定情報を前記記憶部の記憶する物件特定情報の中から特定し、当該特定した物件特定情報を含む候補物件の情報を、前記検索要求に含まれる前記使用電力量と前記記憶部が記憶する前記過去の単位期間ごとの電力使用量との差の平均が少ない順に、前記検索要求を送信した端末を管理する電気事業者が電力供給する前記物件の所有者や管理者との間で結ぶ電気需給契約の候補物件の情報として出力する
電気需給契約の入札管理方法。
【請求項９】
電気需給契約対象となる物件を特定する物件特定情報と、前記物件における過去の電力使用実績を示す過去の電力使用量とを紐づけて記憶する記憶部を備えた入札管理装置のコンピュータを、
物件特定情報と使用電力量とを含む検索要求を取得する検索要求取得手段、
前記検索要求に含まれる前記物件特定情報に一致する物件特定情報であって、前記過去の電力使用量が前記検索要求に含まれる前記使用電力量の範囲となる物件特定情報を前記記憶部の記憶する物件特定情報の中から特定し、少なくとも当該特定した物件特定情報を含む候補物件の情報を、前記検索要求を送信した端末を管理する電気事業者が電力供給する前記物件の所有者や管理者との間で結ぶ電気需給契約の候補物件の情報として出力する物件候補出力手段、
として機能させるプログラム。
【請求項１０】
電気需給契約対象となる物件を特定する物件特定情報と、前記物件における過去の電力使用実績を示す過去の電力使用量とを紐づけて記憶する記憶部を備えた入札管理装置のコンピュータを、
物件特定情報と使用電力量とを含む検索要求を取得する検索要求取得手段、
前記検索要求に含まれる前記物件特定情報に一致する物件特定情報を前記記憶部の記憶する物件特定情報の中から特定し、当該特定した物件特定情報を含む候補物件の情報を、前記検索要求に含まれる前記使用電力量と前記記憶部が記憶する前記過去の単位期間ごとの電力使用量との差の平均が少ない順に、前記検索要求を送信した端末を管理する電気事業者が電力供給する前記物件の所有者や管理者との間で結ぶ電気需給契約の候補物件の情報として出力する物件候補出力手段、
として機能させるプログラム。
【発明の詳細な説明】
【技術分野】
【０００１】
本発明は、電気需給契約の入札管理装置、入札管理方法、プログラムに関する。
【背景技術】
【０００２】
電力の小売業への参入が自由化され、多くの小売電気事業者が、物件の所有者や管理者等と電気需給契約を結び、発電した電力または電力会社から購入した電力の小売りを行っている。電力購買契約の締結に関する技術が特許文献１に開示されている。
【先行技術文献】
【特許文献】
【０００３】
【特許文献１】特開２００３−１５０６７５号公報
【発明の概要】
【発明が解決しようとする課題】
【０００４】
電気事業者と物件の所有者や管理者との電気需給契約を効率よく行う技術が求められている。
【０００５】
そこでこの発明は、上述の課題を解決する電気需給契約の入札管理装置、入札管理方法、プログラムを提供することを目的としている。
【課題を解決するための手段】
【０００６】
本発明の第１の態様によれば、電気需給契約の入札管理装置は、電気需給契約対象となる物件を特定する物件特定情報と、前記物件における過去の電力使用実績とを紐づけて記憶する記憶部と、前記物件特定情報と前記使用電力量とを含む検索要求を取得する検索要求取得部と、前記検索要求に含まれる前記物件特定情報と前記使用電力量と、前記記憶部の記憶する前記物件特定情報と前記電力使用実績との関係に基づいて、前記検索要求を送信した端末を管理する電気事業者が電力供給する前記物件の所有者や管理者との間で結ぶ電気需給契約の候補物件を出力する物件候補出力部と、を備えることを特徴とする。
【０００７】
本発明の第２の態様によれば、入札管理方法は、電気需給契約対象となる物件を特定する物件特定情報と、前記物件における過去の電力使用実績とを紐づけて記憶し、前記物件特定情報と前記使用電力量とを含む検索要求を取得し、前記検索要求に含まれる前記物件特定情報と前記使用電力量と、前記記憶部の記憶する前記物件特定情報と前記電力使用実績との関係に基づいて、前記検索要求を送信した端末を管理する電気事業者が電力供給する前記物件の所有者や管理者との間で結ぶ電気需給契約の候補物件を出力することを特徴とする。
【０００８】
本発明の第３の態様によれば、プログラムは、電気需給契約対象となる物件を特定する物件特定情報と、前記物件における過去の電力使用実績とを紐づけて記憶する記憶部を備えた入札管理装置のコンピュータを、前記物件特定情報と前記使用電力量とを含む検索要求を取得する検索要求取得手段、前記検索要求に含まれる前記物件特定情報と前記使用電力量と、前記記憶部の記憶する前記物件特定情報と前記電力使用実績との関係に基づいて、前記検索要求を送信した端末を管理する電気事業者が電力供給する前記物件の所有者や管理者との間で結ぶ電気需給契約の候補物件を出力する物件候補出力手段、として機能させることを特徴とする。
【発明の効果】
【０００９】
本発明によれば、電気事業者と物件の所有者や管理者との電気需給契約を効率よく行うことができる。
【図面の簡単な説明】
【００１０】
【図１】本発明の一実施形態による入札管理システムの構成を示す図である。
【図２】本発明の一実施形態による入札管理装置のハードウェア構成図である。
【図３】本発明の一実施形態による入札管理装置のハードウェア構成図である。
【図４】本発明の一実施形態による入札管理装置の処理フローを示す第一の図である。
【図５】本発明の一実施形態による入札管理装置が送信するウェブページの第一の例を示す図である。
【図６】本発明の一実施形態による入札管理装置が送信するウェブページの第二の例を示す図である。
【図７】本発明の一実施形態による入札管理装置が送信するウェブページの第三の例を示す図である。
【図８】本発明の一実施形態による入札管理装置が送信するウェブページの第四の例を示す図である。
【図９】本発明の一実施形態による入札管理装置が送信するウェブページの第五の例を示す図である。
【図１０】本発明の一実施形態による入札管理装置が送信する入札書のデータ例を示す図である。
【図１１】本発明の一実施形態による入札管理装置の処理フローを示す第二の図である。
【図１２】本発明の一実施形態による入札管理装置が送信するウェブページの第六の例を示す図である。
【図１３】本発明の一実施形態による入札管理装置の最小構成を示す図である。
【発明を実施するための形態】
【００１１】
以下、本発明の一実施形態による電気需給契約の入札管理システムを、図面を参照して説明する。
図１は同実施形態による電気需給契約の入札管理システムの構成を示す図である。
電気需給契約の入札管理システム１００は、入札管理を行う入札管理装置１を少なくとも有する。図１には、電気事業者が管理する事業者サーバ２、電気事業者が利用する事業者端末３、電力を使用する物件に取り付けられて当該物件における使用電力量を計測するスマートメータ４、などが入札管理システム１００に含まれる入札管理装置１に通信接続する態様を図示している。また入札管理装置１には電気需給契約の入札管理を行う管理者の利用する管理者端末５が通信接続される。
【００１２】
図２は入札管理装置のハードウェア構成図である。
図２で示すように、入札管理装置１は、ＣＰＵ（Central Processing Unit）１０１、ＲＯＭ（Read Only Memory）１０２、ＲＡＭ（Random Access Memory）１０３、データベース１０４、通信モジュール１０５等の各ハードウェアを備えたコンピュータである。なお事業者サーバ２、事業者端末３も、同様のハードウェア構成を備えたコンピュータである。
【００１３】
図３は入札管理装置のハードウェア構成図である。
入札管理装置１は、電源が投入されると起動し、予め記憶する入札管理プログラムを実行する。これにより入札管理装置１は、一例として、制御部１１、登録部１２、検索要求取得部１３、物件候補出力部１４、ひな形出力部１５、ポートフォリオ生成部１６、入札受付部１７、業者候補出力部１８、ウェブインタフェース１９の機能を発揮する。
【００１４】
制御部１１は、入札管理装置１の各機能を制御する。
登録部１２は、事業者サーバ２や、事業者端末３、スマートメータ４、管理者端末５から取得した情報をデータベース１０４に登録する。一例として登録部１２は、物件における過去の電力使用実績に関するデータを管理者端末５から取得して、指定された物件の情報に紐づけてデータベース１０４に登録する。登録部１２は、物件における過去の電力使用実績に関するデータを事業者サーバ２や事業者端末３、スマートメータ４から取得して、指定された物件の情報に紐づけてデータベース１０４に自動登録してもよい。
【００１５】
なおデータベース１０４は、電気需給契約対象となる物件を特定する物件特定情報と、物件における過去の電力使用実績とを紐づけて記憶する。物件特定情報には、物件ＩＤ、建物名称、電力供給の給地点特定番号、所在地、建物用途、所有者、物件の資産運用会社、契約当事者、物件特定情報の開示可能先の電気事業者、契約電力などの情報が含まれる。またデータベース１０４は、物件特定情報に紐づけて、当該物件特定情報が示す物件における過去の各月の使用電力量（電力使用実績）が記録される。
【００１６】
検索要求取得部１３は、物件特定情報と使用電力量とを含む検索要求を事業者サーバ２または事業者端末３から取得する。
物件候補出力部１４は、検索要求に含まれる物件特定情報と使用電力量と、データベース１０４の記憶する物件特定情報と電力使用実績との関係に基づいて、検索要求を送信した事業者端末３または事業者サーバ２を管理する電気事業者が、物件の所有者や管理者との間で結ぶ電気需給契約の候補物件を出力する。
【００１７】
ひな形出力部１５は、入札書情報を登録に用いられる入札書のひな形を事業者端末３へ出力する。
ポートフォリオ生成部１６は、物件特定情報に基づいて複数の前記物件をまとめたポートフォリオを生成する。
入札受付部１７は、候補物件との間で結ぶ電気需給契約の入札書情報の登録を受け付ける。
業者候補出力部１８は、入札書情報に含まれる契約料金に基づいて、候補物件との間で結ぶ電気需給契約を行う電気事業者の候補を管理者端末５へ出力する。
ウェブインタフェース１９は、事業者端末３や管理者端末５からのアクセスを受け付けて各種ウェブページをそれら端末へ出力し、それら端末においてウェブページへ入力された情報や操作指示を受け付ける。
【００１８】
図４は、入札管理装置の処理フローを示す第一の図である。
図５は、入札管理装置が送信するウェブページの第一の例を示す図である。
図５で示すウェブページは、物件特定情報の登録ページの例を示している。入札管理業者は、管理者端末５を用いて入札管理装置１へアクセスし、電気需給契約対象となる物件を特定する物件特定情報を入力する。管理者の操作に基づいて管理者端末５が入札管理装置１へアクセスすると、ウェブインタフェース１９はそのアクセス要求を受け付ける（ステップＳ１００）。ウェブインタフェース１９は、登録部１２から物件特定情報の登録ページを取得し、管理者端末５へ出力する。管理者端末５は、物件特定情報の登録ページをモニタに表示する。管理者は、管理者端末５を操作して、当該登録ページの入力欄に、各物件登録情報を入力し、登録ボタンを押下する。すると、管理者端末５は、物件登録情報の登録要求を入札管理装置１へ送信する。入札管理装置１の登録部１２は、ウェブインタフェース１９を介して物件登録情報の登録要求を取得する。登録部１２は、物件登録情報の登録要求に含まれる各情報を物件ＩＤに紐づけてデータベース１０４に登録する（ステップＳ１０１）。なお入札管理業者の管理者は、物件ごとの物件特定情報の記載書面をＯＣＲ等で読み込んでデータ化し、このデータをデータベース１０４の物件テーブルに登録するようにしてもよい。
【００１９】
また入札管理装置１の登録部１２は、管理者端末５から、各物件の使用電力量の情報を取得する。登録部１２は、各物件の使用電力量を、対応する物件ＩＤに紐づけてデータベース１０４の物件テーブルに登録する（ステップＳ１０２）。各物件の使用電力量は、入札管理業者の管理者がＯＣＲで読み込んでデータ化してデータベース１０４の物件テーブルに登録するようにしてもよい。
【００２０】
管理者は、電気需給契約対象となる数多くの物件に関する物件特定情報を入札管理装置１へ登録する。これにより、入札管理装置１のデータベース１０４の物件テーブルには、全国の物件に関する物件登録情報と、毎月の使用電力量を示す電力使用実績が記憶される。このような状態で、入札管理装置１は、事業者端末３から電気需給契約の候補物件の検索要求を待機する。
【００２１】
図６は、入札管理装置が送信するウェブページの第二の例を示す図である。
図６で示すウェブページは、ログイン画面のウェブページの例を示している。電気事業者の担当者は、電気需給契約の入札を行うにあたり、事業者端末３を用いて入札管理装置１へアクセスする。電気事業者の担当者の操作により事業者端末３はアクセス要求を入札管理装置１へ送信する。
【００２２】
入札管理装置１のウェブインタフェース１９は事業者端末３からのアクセス要求を受け付ける（ステップＳ１０３）。ウェブインタフェース１９は、アクセス要求を受け付けるとログイン画面のウェブページ（図６）を事業者端末３へ送信する。事業者端末３はログイン画面のウェブページをモニタに出力する。電気事業者の担当者はログイン画面のウェブページにおいて、企業ＩＤとパスワードを入力し、ログインボタンを押下する。事業者端末３は、ログインボタンの押下を検出すると、企業ＩＤとパスワードを含むログイン要求を、入札管理装置１へ送信する。企業ＩＤとパスワードは、事前に入札管理を行う管理者から提供された情報であり、予め、入札管理装置１において企業ＩＤとパスワードが紐づけて管理されている。
【００２３】
入札管理装置１のウェブインタフェース１９は、ログイン要求に含まれる企業ＩＤとパスワードの組み合わせが、自装置で記憶する組み合わせと一致するかを判定する。ウェブインタフェース１９は、企業ＩＤとパスワードの組み合わせが自装置の記憶する組み合わせと一致する場合には、認証成功と判定し、検索要求取得部１３から検索条件選択画面のウェブページを（図７）取得する。
【００２４】
図７は、入札管理装置が送信するウェブページの第三の例を示す図である。
図７で示すウェブページは、検索条件選択画面のウェブページの例を示している。ウェブインタフェース１９は、検索条件選択画面のウェブページを事業者端末３へ送信する。事業者端末３は、検索条件選択画面のウェブページを受信する。事業者端末３は、検索条件選択画面のウェブページをモニタに出力する。
【００２５】
電気事業者の担当者は、検索条件選択画面のウェブページにおいて、検索条件の項目のうち検索に必要と考える検索項目へ情報を入力する。検索条件の項目は、物件ＩＤ、物件名称、所在地、管内種別、建物用途、契約電力の範囲などの物件特定情報と、使用電力量の一態様である年間使用電力量の範囲、の情報を含む。電気事業者の担当者は、物件特定情報の何れか一つまたは複数の検索条件と、使用電力量の範囲とを入力し、検索ボタンを押下する。事業者端末３は、検索ボタンの押下を検出すると、検索条件の項目に入力された物件特定情報と、使用電力量の範囲とを含む検索要求を、入札管理装置１へ送信する。つまり、検索要求には物件特定情報と、使用電力量に関する情報（年間使用電力量の範囲や契約電力など）とが少なくとも含まれる。
【００２６】
入札管理装置１のウェブインタフェース１９は、検索要求を受信する（ステップＳ１０４）。ウェブインタフェース１９は、検索要求を検索要求取得部１３へ出力する。検索要求取得部１３は、検索要求に含まれる物件特定情報と、使用電力量の範囲の情報とを読み取る。検索要求取得部１３は、検索要求に含まれる物件特定情報と、使用電力量の範囲の情報とを、物件候補出力部１４へ出力する。物件候補出力部１４は、物件特定情報と、使用電力量の範囲の情報とを取得する。そして物件候補出力部１４は、物件特定情報と、使用電力量の範囲の情報とを用いて、データベース１０４から、電気需給契約の候補物件を抽出し、その候補物件を含む候補物件選択画面（図８）を生成する（ステップＳ１０５）。
【００２７】
なお、物件候補出力部１４は、検索要求に含まれる物件特定情報を読み取り、その物件特定情報が示す検索条件の各項目に一致する情報に紐づく物件ＩＤを物件登録テーブルに登録されている物件ＩＤの中から特定し、その物件ＩＤを候補物件として抽出してよい。なお、検索要求の項目に管区に関する情報が含まれる場合には、その管区が示す地域に含まれる住所の物件が候補物件として抽出される。また検索要求の項目に建物用途に関する情報が含まれる場合には、物件候補出力部１４は、その建物用途を物件特定情報として保持する物件を候補物件として抽出する。
【００２８】
また物件候補出力部１４は、検索要求に契約電力の範囲が含まれている場合には、その契約電力の範囲の契約電力により過去の電気需給契約が行われている物件を候補物件として抽出する。また物件候補出力部１４は、検索要求に年間使用電力量の範囲が含まれている場合には、その年間使用電力量の範囲に、過去の年間使用電力量の実績が含まれる物件を候補物件として抽出する。物件候補出力部１４は、候補物件選択画面（図８）を生成する際に、抽出した候補物件の契約電力と各月の使用電力量との差を算出し、その差の平均が少ない順に物件候補をソートしてもよい。つまり、物件候補出力部１４は、負荷率の高い物件を優先的に表す候補物件選択画面（図８）を生成してもよい。これにより、電気事業者は契約電力に近い使用電力を毎月使用している物件を、優先して確認することができる。
【００２９】
図８は、入札管理装置が送信するウェブページの第四の例を示す図である。
図８で示すウェブページは、候補物件選択画面のウェブページの第一の例を示している。物件候補出力部１４は、生成した候補物件選択画面のウェブページを、ウェブインタフェース１９へ出力する。ウェブインタフェース１９は、候補物件選択画面のウェブページを事業者端末３へ送信する（ステップＳ１０６）。
【００３０】
事業者端末３は、候補物件選択画面のウェブページを受信し、当該ウェブページをモニタに出力する。候補物件選択画面のウェブページには、入札管理装置１が抽出した、候補物件の一覧が表示される。なお候補物件選択画面のウェブページには、電気事業者の担当者が検索条件選択画面のウェブページに入力した、検索条件が表示されてよい。電気事業者の担当者は、候補物件選択画面に表示された候補物件の一覧において、何れか一つまたは複数の候補物件を選択することができる。候補物件を選択するためのチェック欄が、候補物件選択画面のウェブページの各候補物件の項目に設けられている。電気事業者の担当者は、物件の所有者や管理者との間で電気需給契約を結ぶことを希望する候補物件を選択する。
【００３１】
図９は、入札管理装置が送信するウェブページの第五の例を示す図である。
図９で示すウェブページは、候補物件選択画面のウェブページの第二の例を示している。電気事業者の担当者は、事業者端末３のモニタに表示された候補物件選択画面のウェブページを、最下方向までスクロール操作する。当該ウェブページの最下位置には、一例として、ダウンロードボタンが３つ表示される。一つはＣＳＶ（Comma-Separated Values）ダウンロードボタン、他の一つはＰＤＦダウンロードボタン、他のもう一つは入札書ダウンロードボタンである。なお、候補物件選択画面のウェブページの最下位置に表示されるダウンロードボタンは、ＣＳＶダウンロードボタン、ＰＤＦダウンロードボタン、入札書ダウンロードボタンのうちの何れか一つまたは複数であってよい。ＣＳＶダウンロードボタンは、担当者が選択した候補物件の一覧データをＣＳＶデータ形式で取得するためのボタンである。またＰＤＦ（Portable Document Format）ダウンロードボタンは、担当者が選択した候補物件の一覧データをＰＤＦデータ形式で取得するためのボタンである。また入札書ダウンロードボタンは、担当者が選択した候補物件の所有者や管理者と電気需給契約を結ぶための入札に関する書類のデータを取得するためのボタンである。
【００３２】
電気事業者の担当者がＣＳＶダウンロードボタンを押下すると、事業者端末３は、担当者が選択した候補物件の物件ＩＤを含むＣＳＶデータ要求を、入札管理装置１へ送信する。入札管理装置１のウェブインタフェース１９は、ＣＳＶデータ要求を受信する（ステップＳ１０７）。ウェブインタフェース１９は、ＣＳＶデータ要求を物件候補出力部１４へ出力する。物件候補出力部１４はＣＳＶデータ要求を取得すると、当該ＣＳＶデータ要求に含まれる各物件ＩＤに紐づく物件特定情報と使用電力量とを物件ＩＤごとにカンマで区切ってデータ形式にしたＣＳＶデータを生成する。物件候補出力部１４はＣＳＶデータをウェブインタフェース１９へ出力する。ウェブインタフェース１９はＣＳＶデータを事業者端末３へ送信する（ステップＳ１０８）。これにより、事業者端末３はＣＳＶデータを受信して、担当者が当該ＣＳＶデータを利用して、選択した候補物件それぞれの物件特定情報と使用電力量とを確認することができる。
【００３３】
また、他方、電気事業者の担当者がＰＤＦダウンロードボタンを押下すると、事業者端末３は、担当者が選択した候補物件の物件ＩＤを含むＰＤＦデータ要求を、入札管理装置１へ送信する（ステップＳ１０９）。入札管理装置１のウェブインタフェース１９は、ＰＤＦデータ要求を受信する。ウェブインタフェース１９は、ＰＤＦデータ要求を物件候補出力部１４へ出力する。物件候補出力部１４はＰＤＦデータ要求を取得すると、当該ＰＤＦデータ要求に含まれる各物件ＩＤに紐づく物件特定情報と使用電力量とを物件ＩＤごとに表示するＰＤＦデータを生成する。物件候補出力部１４はＰＤＦデータをウェブインタフェース１９へ出力する。ウェブインタフェース１９はＰＤＦデータを事業者端末３へ送信する（ステップＳ１１０）。これにより、事業者端末３はＰＤＦデータを受信して、担当者が当該ＰＤＦデータを利用して、選択した候補物件それぞれの物件特定情報と使用電力量とを確認することができる。
【００３４】
また、さらに、電気事業者の担当者が入札書ダウンロードボタンを押下すると、事業者端末３は、担当者が選択した候補物件に関する入札書データ要求を、入札管理装置１へ送信する。入札管理装置１のウェブインタフェース１９は、入札書データ要求を受信する（ステップＳ１１１）。ウェブインタフェース１９は、入札書データ要求をひな形出力部１５へ出力する。ひな形出力部１５は入札書データ要求を取得すると、当該入札書データ要求に含まれる各物件ＩＤに紐づく物件特定情報に基づいて、当該物件特定情報が記入された入札書を候補物件ごとにそれぞれ生成する。ひな形出力部１５は、入札書データをウェブインタフェース１９へ出力する。ウェブインタフェース１９は入札書データを事業者端末３へ送信する（ステップＳ１１２）。これにより、事業者端末３は入札書データを受信して、担当者が当該入札書データを利用して、入札書を登録することができる。
【００３５】
図１０は、入札管理装置が送信する入札書のデータ例を示す図である。
入札書には、一例として、物件ＩＤ、建物名称、所在地、電力料金入札金額、電気料金単価（基本料金（円／ｋｗ）、季節に応じた電力料金（円／Ｋｗｈ））などの項目が含まれる書類である。入札管理装置１のひな形出力部１５は、入札書データを送信する際に、各候補物件のＩＤや建物名称、所在地などの物件特定情報を抽出し、入札書データに書き込んで、各候補物件に対する入札書データを生成する。そしてひな形出力部１５の指示によりウェブインタフェース１９は、入札書データを事業者端末３に送信するようにしてよい。なお、入札管理装置１のひな形出力部１５は、候補物件の物件特定情報を書き込まずに、入札書データを事業者端末３へ送信指示するようにしてもよい。
【００３６】
電気事業者の担当者は、ダウンロードしたＣＳＶデータ、ＰＤＦデータに含まれる各候補物件の内容を確認し、入札対象とする物件を特定する。そして入札対象として特定した物件についての入札書に、必要事項を記入する。記入の必要事項は、一例としては、電力量入札金額、基本料金、季節ごとの電力料金などである。担当者は、入札対象として特定した物件についての入札書を、入札管理装置１に登録する。
【００３７】
図１１は、入札管理装置の処理フローを示す第二の図である。
具体的には、電気事業者の担当者は、事業者端末３を用いて入札管理装置１にアクセスする。入札管理装置１は事業者端末３からのアクセス要求を受け付ける（ステップＳ２０１）。この時、上記と同様に、入札管理装置１のウェブインタフェース１９はログイン処理を行い、事業者端末３から入札書アップロード要求を取得する（ステップＳ２０２）。ウェブインタフェース１９は、入札書アップロード要求に基づいて、入札受付部１７から取得した入札書アップロード画面のウェブページを、事業者端末３に送信する（ステップＳ２０３）。事業者端末３は、入札書アップロード画面のウェブページを受信して、モニタに出力する。
【００３８】
図１２は、入札管理装置が送信するウェブページの第六の例を示す図である。
図１２で示すウェブページは、入札書アップロード画面のウェブページの例を示している。電気事業者の担当者は、事業者端末３のモニタに表示された入札書アップロード画面のウェブページの入力欄に登録事項を入力する。登録事項は、入札物件の物件ＩＤ、入札書のデータ、登録ファイル名、コメント等である。担当者は当該画面のアップロードボタンを押下する。すると事業者端末３は物件ＩＤ、入札書データ、登録ファイル名、コメントなどの情報を含むアップロードデータを、入札管理装置１へ送信する。
【００３９】
入札管理装置１のウェブインタフェース１９は、アップロードデータを受信する（ステップＳ２０４）。入札管理装置１のウェブインタフェース１９は、アップロードデータに含まれる情報を、入札受付部１７へ出力する。入札受付部１７は、アップロード要求に含まれる、物件ＩＤ、入札書データ、登録ファイル名、コメントなどの情報を紐づけてデータベース１０４の入札管理テーブルに記録する（ステップＳ２０５）。これにより、各物件に対する入札書の受付を行う。
【００４０】
入札管理装置１の業者候補出力部１８は、所定のタイミングで、物件登録テーブルに登録されている物件を電気需給契約の契約先の候補とする１つまたは複数の電気事業者の入札書データを特定する（ステップＳ２０６）。具体的には、業者候補出力部１８は、ある未処理の物件ＩＤを特定する。業者候補出力部１８は、特定した物件ＩＤに紐づいて入札管理テーブルに登録されている入札書データを読み取る。業者候補出力部１８は、物件ＩＤに紐づいて入札管理テーブルに登録されている入札書データの電力料金入札金額のうち、最も入札金額の低い入札書データを特定する。業者候補出力部１８は、物件ＩＤに紐づいて入札管理テーブルに登録されている入札書データを全て特定してもよい。または、業者候補出力部１８は、物件ＩＤに紐づいて入札管理テーブルに登録されている入札書データの電力料金入札金額に基づいて、例えば入札金額の低い順に予め定められた複数の入札書データを特定してもよい。業者候補出力部１８は、物件ＩＤと、特定した電気事業者の入札書データとを紐づけて、データベース１０４の入札結果テーブルに登録する（ステップＳ２０７）。
【００４１】
これにより入札管理業者の担当者は、最も入札金額の低い入札書データの登録した電気事業者に対して、その入札書データに紐づく物件ＩＤの物件を、電気需給契約の契約先の情報として提供することができる。
【００４２】
入札管理業者の担当者は、入札結果テーブルに紐づいて登録されている物件ＩＤと入札書データとに基づいて、物件ＩＤが示す物件の所有者や管理者と、入札書データに記入されている電気事業者との間で電気需給契約を結ぶための処理を行うようにしてもよい。
【００４３】
以上の入札管理装置１の処理によれば、電気事業者の担当者は、入札管理装置１が提供するウェブサービスにアクセスして、物件特定情報のみを入力するだけで、自社で希望する使用電力量や地域の電気需給契約先となる物件の候補の情報を得ることができる。これにより、電気事業者と物件の所有者や管理者との電気需給契約を効率よく行うことができる。
【００４４】
入札管理装置１は、上述の処理において、物件登録テーブルに登録されている物件をポートフォリオに区分して管理し、候補物件選択画面のウェブページ（図８）において、ポートフォリオの表示を行うようにしてもよい。例えば、ポートフォリオ生成部１６は、物件登録テーブルに記録されている各物件登録情報を、管区、使用電力量、所在地、契約電力、所在地などの物件のカテゴリに基づいて複数のポートフォリオに分類する。ポートフォリオ生成部１６は、各ポートフォリオのＩＤを生成する。ポートフォリオ生成部１６は、ポートフォリオＩＤと、そのポートフォリオに分類した一つまたは複数の物件の物件ＩＤを紐づけてポートフォリオ管理テーブルに登録する。
【００４５】
この場合、物件候補出力部１４は上述の処理において、物件ＩＤに代えて、ポートフォリオＩＤを表示し、またそのポートフォリオＩＤが示すポートフォリオのカテゴリ情報（管区、使用電力量、所在地、契約電力、所在地）などの情報を紐づけて表示する候補物件選択画面のウェブページ（図８）を事業者端末３に送信する。これにより電気事業者の担当者は、ポートフォリオを選択することにより、複数の候補物件を特定することができる。例えば、電気事業者の担当者の操作により、事業者端末３は、ポートフォリオＩＤを含むＣＳＶデータ要求またはＰＤＦデータ要求または入札書データ要求を入札管理装置１へ送信する。入札管理装置１はそれら要求にポートフォリオＩＤが含まれる場合には、そのポートフォリオＩＤに紐づく物件ＩＤをポートフォリオ管理テーブルから特定する。入札管理装置１は、特定した１つまたは複数の物件ＩＤに関する物件特定情報や電力使用実績を記載した、ＣＳＶデータ、ＰＤＦデータ、入札書データを事業者端末３へ送信する。
【００４６】
図１３は、入札管理装置の最小構成を示す図である。
入札管理装置１は、少なくともデータベース１０４、検索要求取得部１３、物件候補出力部１４の各機能部を備える。
データベース１０４は、電気需給契約対象となる物件を特定する物件特定情報と、物件における過去の電力使用実績とを紐づけて記憶する。
検索要求取得部１３は、物件特定情報と使用電力量とを含む検索要求を取得する。
物件候補出力部１４は、検索要求に含まれる物件特定情報と使用電力量と、データベース１０４の記憶する物件特定情報と電力使用実績との関係に基づいて、検索要求を送信した事業者端末３を管理する電気事業者が電力供給する物件の所有者や管理者との間で結ぶ電気需給契約の候補物件を出力する。
【００４７】
上述の各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４８】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４９】
１・・・入札管理装置
２・・・事業者サーバ
３・・・事業者端末
４・・・スマートメータ
１１・・・制御部
１２・・・登録部
１３・・・検索要求取得部
１４・・・物件候補出力部
１５・・・ひな形出力部
１６・・・ポートフォリオ生成部
１７・・・入札受付部
１８・・・業者候補出力部
１９・・・ウェブインタフェース
【要約】      （修正有）【課題】電気事業者と物件の所有者や管理者との電気需給契約を効率よく行う入札管理装置、入札管理方法及びプログラムを提供する。【解決手段】入札管理装置１は、電気需給契約対象となる物件を特定する物件特定情報と、物件における過去の電力使用実績とを紐づけて記憶する記憶部と、物件特定情報と使用電力量とを含む検索要求を取得する検索要求取得部１３と、検索要求に含まれる物件特定情報と使用電力量と、記憶部の記憶する物件特定情報と電力使用実績との関係に基づいて、検索要求を送信した端末を管理する電気事業者が電力供給する物件の所有者や管理者との間で結ぶ電気需給契約の候補物件を出力する物件候補出力部１４と、を備える。【選択図】図３【図１】
0006687796.tif 000002
【図２】
0006687796.tif 000003
【図３】
0006687796.tif 000004
【図４】
0006687796.tif 000005
【図５】
0006687796.tif 000006
【図６】
0006687796.tif 000007
【図７】
0006687796.tif 000008
【図８】
0006687796.tif 000009
【図９】
0006687796.tif 000010
【図１０】
0006687796.tif 000011
【図１１】
0006687796.tif 000012
【図１２】
0006687796.tif 000013
【図１３】
0006687796.tif 000014